(57)【要約】【課題】単一の帯材上でＬＥＤ導電片を生産し、複雑な生産ライン又は加工工程を必要とせず、大幅にコストダウンができて、製品の普及に有利なＬＥＤ飾りランプの構造を提供すること。【解決手段】複数個のＬＥＤを含み、前記ＬＥＤには同一帯材にて直接プレスカットして成型された二枚の導電片を有し、前記導電片にはそれぞれ端子コネクターを設置してあり、前記端子コネクターには位置決め板及び導電板を含み、前記位置決め板は、導線の絶縁外皮を圧着固定するもので、前記導電板は、導線内部の金属芯線を固定し且つ導通するものであり、且つ前記二枚の導電片上の位置決め板及び導電板は相互に高さに違いを設ける。【選択図】図２
0003125429.tif 000002
【実用新案登録請求の範囲】
【請求項１】
ＬＥＤ飾りランプの構造であって、
複数個のＬＥＤを導線によって接続して形成され、
前記ＬＥＤには、同一帯材において直接カット成型された二枚の導電片を有し、
前記二枚の導電片上の二本の導線が接触してショートすることを避けるように、前記二枚の導電片にはそれぞれ端子コネクターを設置すると共に、端子コネクターの高さに差を付けたことを特徴とする、
ＬＥＤ飾りランプの構造。
【請求項２】
前記端子コネクターは、位置決め板及び導電板を含み、前記位置決め板は、導線の絶縁外皮を圧着固定するためのもので、前記導電板は、導線内部の金属芯線を固定し、かつ導通する為であることを特徴とする、請求項１に記載のＬＥＤ飾りランプの構造。
【請求項３】
前記位置決め板又は導電板の中間に、オープンスロットを設けて、前記位置決め板又は導電板を折り曲げ易いようにしたことを特徴とする、請求項２に記載のＬＥＤ飾りランプの構造。
【請求項４】
前記ＬＥＤの外部に外殻を被せることによって、前記ＬＥＤ及び導線の導電部分を密封できるようにしたことを特徴とする、請求項１に記載のＬＥＤ飾りランプの構造。
【考案の詳細な説明】
【技術分野】
【０００１】
本考案は、ＬＥＤ飾りランプの構造に関し、特にコストが安く、構造が安定し、且つ水や埃が入りにくく、ＩＰ６６等級の国際基準に合致した、如何なる環境においても使用できるＬＥＤ飾りランプの構造に関するものである。
【背景技術】
【０００２】
従来の飾りランプの構造は、沢山の豆ランプを直列、並列することによって、発光、点滅の視覚効果を生じるもので、製品の展示や宴会の装飾などに使われ、各種業界或いは各種の行事において相当重要な役割を担っている。
【０００３】
従来の飾りランプの構造は、ランプを主体としており、ランプの体積、重量には一定の規模がある。これを収容するには十分なスペースが必要であり、しかも電力消耗が大きく、発熱量も莫大であり、且つ室外での設置は雨風に打たれて損壊し易いため、従来の飾りランプでは其の設置コストが高く付き、一般の人が負担できるものではない。
【０００４】
従って、ランプの替わりにＬＥＤを採用することが業界の無二の法門となった。
従来のＬＥＤは、明るさが足りないため、照明器材としては適当ではなかった。しかし、近年テクノロジーの進歩によって、高輝度のＬＥＤが照明の役割を十分果たせるようになった。
しかも、ＬＥＤは軽い上に堅固で、耐用性があり、電気消耗量が小さく、ランプ設置の代替品としてまさに最適である。
【０００５】
現在知られているＬＥＤ飾りランプの構造は、直列、並列済みのランプ台座にＬＥＤを挿入して構成され、全体的な考慮が足りないため、構造が複雑になり、ランプ台座自体において正極、負極導線の配置を考慮する必要があるほか、ＬＥＤも直接ランプ台座に入れて固定することができず、別途ＬＥＤをランプ台座に固定する装置を設計しなければならない。
【０００６】
このように、構造が複雑すぎるばかりでなく、設置コストが増え、且つＬＥＤの導電片は導線と直接固定されず、接触のみによって結合されるので、接触不良の問題を生じ易い。
【０００７】
尚、従来のＬＥＤ飾りランプの構造は、密封度が不完全であり、水や埃が入り易く、特に室外で使用される飾りランプでは、故障が生じ易く、製品の寿命が短くなる。
【０００８】
そのため、本考案者は、上述ＬＥＤ飾りランプの欠点に鑑み、改良に着手し、長期的に研究開発及び実地制作を行った末、ついに本案ＬＥＤ飾りランプの構造を完成した。
【考案の開示】
【考案が解決しようとする課題】
【０００９】
本考案の主要な目的は、単一の帯材上でＬＥＤ導電片を生産し、複雑な生産ライン又は加工工程を必要とせず、大幅にコストダウンができて、製品の普及に有利なＬＥＤ飾りランプの構造を提供することにある。
【００１０】
本考案のもう一つの目的は、簡単な配置と、安定した構造で、ＬＥＤ導電の流暢性を確保し、正常に作動できるＬＥＤ飾りランプの構造を提供することにある。
【００１１】
本考案の他の目的は、密封が完璧で、水や埃が入りにくく、ＩＰ６６等級の国際基準に合致した、如何なる環境においても使用でき、且つ寿命を延長できるＬＥＤ飾りランプの構造を提供することにある。
【課題を解決するための手段】
【００１２】
上述した本考案の目的を達成できるＬＥＤ飾りランプの構造は、主として、導線によって直列、並列された複数個のＬＥＤを含む。前記ＬＥＤには、同一帯材において直接裁断成型された二枚の導電片があり、前記両導電片にはそれぞれ位置決め板及び導電板を含む端子コネクターを設置してある。前記位置決め板は導線の絶縁外皮を圧着固定するためのものであり、前記導電片は、導線内部の金属芯線を固定し且つ導通するためのものであり、且つ前記両導電片の位置決め板及び導電板相互間には高さの違いがあり、意外な接触によるショートを避けることが出来る。前記両導電片を帯材からプレスカットし、ダイ、ボンディング及びワイヤ、ボンディングを行い、エポキシ樹脂でパックすると、本考案の要するＬＥＤとなる、次に複数個の本考案によるＬＥＤを直列、並列すると、安定した、寿命の長いＬＥＤ飾りランプの構造が得られる。
【００１３】
すなわち、本願の第１考案は、ＬＥＤ飾りランプの構造であって、複数個のＬＥＤを導線によって接続して形成され、前記ＬＥＤには、同一帯材において直接カット成型された二枚の導電片を有し、前記二枚の導電片上の二本の導線が接触してショートすることを避けるように、前記二枚の導電片にはそれぞれ端子コネクターを設置すると共に、端子コネクターの高さに差を付けたことを特徴とする、ＬＥＤ飾りランプの構造を提供する。
本願の第２考案は、前記端子コネクターは、位置決め板及び導電板を含み、前記位置決め板は、導線の絶縁外皮を圧着固定するためのもので、前記導電板は、導線内部の金属芯線を固定し、かつ導通する為であることを特徴とする、前記第１考案に記載のＬＥＤ飾りランプの構造を提供する。
本願の第３考案は、前記位置決め板又は導電板の中間に、オープンスロットを設けて、前記位置決め板又は導電板を折り曲げ易いようにしたことを特徴とする、前記第２考案に記載のＬＥＤ飾りランプの構造を提供する。
本願の第４考案は、前記ＬＥＤの外部に外殻を被せることによって、前記ＬＥＤ及び導線の導電部分を密封できるようにしたことを特徴とする、前記第１考案に記載のＬＥＤ飾りランプの構造を提供する。
【考案の効果】
【００１４】
本考案は、単一帯材においてＬＥＤ導電片を生産することが出来、煩雑な生産ライン又は加工工程を必要とせず、其の構造は安定しており、ＬＥＤ導電の流暢さを確保し、同時に大幅にコストダウンし、且つ構造の密封が完璧で、水や埃が入りにくく、ＩＰ６６等級の国際基準に符合し、任意の環境にて適用することができる。
【考案を実施するための最良の形態】
【００１５】
図１は、本考案に係るＬＥＤ飾りランプの構造で、複数個のＬＥＤ１を含み、且つ導線２によって直列、並列して形成されている。
前記ＬＥＤ１には二枚の導電片１１を有し、前記両導電片１１は、同一帯材３から直接プレスカットして成型したものである。
【００１６】
従って、同一帯材３から直接大量にＬＥＤ導電片を生産することが出来、生産ライン及びコストを節減できる。
【００１７】
そして、前記両導電片１１にはそれぞれ端子コネクター１２が設置され、前記端子コネクター１２には位置決め板１２１及び導電板１２２が含まれる。
【００１８】
前記位置決め板１２１は、導線２の絶縁外皮２１を圧着固定するためのものであり、前記導電板１２２は、導線２内部の金属芯線２２を固定且つ導通するためのもので、且つ前記両導電片１１上の位置決め板１２１及び導電板１２２は、相互に高さに違いがあり、意外な接触によるショートを避ける事が出来る。
【００１９】
図２は、前述両導電片１１を帯材３からプレスカットし、ダイ、ボンディング、ワイヤ、ボンディングを行い、エポキシ樹脂でパックした後、端子コネクターを有するＬＥＤとなることを示す。
【００２０】
図３は、本考案において、導線２に接続する時に、前記導線２前端の絶縁外皮２１を取り除き、金属芯線２２の一部を露出して接続すべきことを示す。
【００２１】
接続に際しては、先ず前述端子コネクターを持つＬＥＤ１を取得し、端子コネクター１２の位置決め板１２１を導線２の絶縁外皮２１に圧着固定させる。
前端に露出した金属芯線２２は、前記導電板１２２によって圧着固定する。
前記両導電片１１の位置決め板１２１及び導電板１２２は相互に高さが異なるため、意外な接触によるショートを避けることが出来る。
【００２２】
尚、前記位置決め板１２１又は導電板１２２の中間にオープン、スロット１２３を開設し、前記位置決め板１２１又は導電板１２２を折り曲げ易いようにしても良い。
【００２３】
図４は、前述複数個の完成したＬＥＤ １を導線２によって直列、並列すると、本考案で言うところのＬＥＤ飾りランプの構造を完成できることを示す。
【００２４】
前記ＬＥＤ外部には、外殻４が被せてある。
前記外殻４は、ＬＥＤ １をパックするもので、前記端子コネクター１２又は導線２が外部に露出することを避けている。
前記外殻４は外観美を増進するほか、更に前記ＬＥＤ １及び導線２の金属導電部分を密封し、雨水やその他の要素による浸食破壊を避け、製品の寿命を増進することが出来る。
【図面の簡単な説明】
【００２５】
【図１】本考案の帯材配置例図である。
【図２】本考案の単一ＬＥＤ構造例図である。
【図３】本考案のＬＥＤと導線の接続例図である。
【図４】本考案のＬＥＤ飾りランプ設置例図である。
【符号の説明】
【００２６】
１・・・・・・ＬＥＤ
１１・・・・・導電片
１２・・・・・端子コネクター
１２１・・・・位置決め板
１２２・・・・導電板
１２３・・・・オープン、スロット
２・・・・・・導線
２１・・・・・絶縁外皮
２２・・・・・金属芯線
３・・・・・・帯材
４・・・・・・外殻
【図１】
0003125429.tif 000003
【図２】
0003125429.tif 000004
【図３】
0003125429.tif 000005
【図４】
0003125429.tif 000006